(57)【要約】【課題】  スプレッダの先端部を小さな隙間に挿入でき、スプレッダを備えた油圧作動装置の使用範囲をより拡大する。【解決手段】  それぞれの基端部２bが、揺動軸７により本体ケーシング８に対し揺動可能に取り付けられ、互いに当接した状態で先端部が鋭角形状を構成する一対の厚みを有する板状爪部材２からなるスプレッダ３において、一対の板状爪部材２に、それぞれ先端に向けて爪部材の厚みを減少させるよう傾斜面１１を形成する。【選択図】  図１
2005334045.tif 000002
【特許請求の範囲】
【請求項１】
それぞれの基端部が揺動軸により本体ケーシングに対し揺動可能に取り付けられ、互いに当接した状態で先端部が鋭角形状を構成する一対の厚みを有する板状爪部材からなるスプレッダと、
前記スプレッダの後方位置に当接配置された爪部材開放用駆動ブロックと、
先端部に前記駆動ブロックが取り付けられたピストンロッドと、
前記ピストンロッドを往復動させる油圧駆動装置と、
からなる油圧作動装置において、
前記スプレッダの一対の板状爪部材には、それぞれ先端に向けて爪部材の厚みを減少させるよう傾斜面が形成されていることを特徴とする油圧作動装置。
【請求項２】
傾斜面は、爪部材の先端部付近に形成されていることを特徴とする請求項１記載の油圧作動装置。
【発明の詳細な説明】
【技術分野】
【０００１】
本発明は、油圧駆動装置により開閉駆動されるスプレッダを備えた油圧作動装置に係わり、とりわけ狭い箇所にスプレッダの先端部を挿入可能な油圧作動装置に関する。
【背景技術】
【０００２】
従来から、電動モータの駆動により圧力油を発生させ、この圧力油により駆動される油圧駆動装置と、油圧駆動装置に連接され、油圧駆動装置により開閉駆動されるスプレッダを備えた油圧作動装置が知られている。
【０００３】
この油圧作動装置は、例えば交通事故、地震災害などで、車内、建物内などに閉じこめられた人を救出する際、隙間内にスプレッダの先端部を挿入し、隙間を押し広げる用具として用いられている。
【特許文献１】特許出願公開２００２−７８９８８号公報
【発明の開示】
【発明が解決しようとする課題】
【０００４】
しかし油圧作動装置をこのような救出用具として使用する場合、隙間が小さく、厚みのあるスプレッダの先端が挿入できない場合があった。また、建物の扉や門などに南京錠が掛かっていて、この錠を壊すのに手間取るという問題があった。
【０００５】
本発明は、このような問題を解決するためになされたものであり、小さな隙間でも挿入でき、スプレッダを備えた油圧作動装置の使用範囲をより拡大することができる装置を提供することを目的とする。
【課題を解決するための手段】
【０００６】
上記目的を達成するため、本発明は、それぞれの基端部が揺動軸により本体ケーシングに対し揺動可能に取り付けられ、互いに当接した状態で先端部が鋭角形状を構成する一対の厚みを有する板状爪部材からなるスプレッダと、スプレッダの後方位置に当接配置された爪部材開放用駆動ブロックと、先端部に駆動ブロックが取り付けられたピストンロッドと、ピストンロッドを往復動させる油圧駆動装置と、からなる油圧作動装置において、スプレッダの一対の板状爪部材に、それぞれ先端に向けて爪部材の厚みを減少させるよう傾斜面が形成されていることを特徴とする。
【０００７】
本発明によれば、スプレッダの先端部が、その厚みを減少させるよう傾斜面が形成されているので、従来スプレッダの先端を挿入できなかった爪部材の厚みより小さい隙間に対してもスプレッダの先端を挿入させることができ、その隙間をさらに拡大することが可能となる。
【０００８】
とりわけ南京錠を破壊しなければならないような場合には、シャックルの内部空間にスプレッダ先端を挿入し、これを押し広げることにより、シャックルを南京錠本体から容易に離脱させ、開錠することができる。
【０００９】
本発明はまた、傾斜面が爪部材の先端部付近に形成されていることを特徴とする。これにより、小さな隙間をまずスプレッダの先端部で拡大し、さらにスプレッダを押し込むことにより、厚みのある爪部分でより大きな力を加えて、閉じられた部分のこじ開けを行うことができる。
【発明を実施するための最良の形態】
【００１０】
以下、本発明を図面を参照して説明する。
【００１１】
図１および図２は、本発明の実施の一形態に係わる油圧作動装置を示すもので、油圧作動装置１は、一対の厚みを有する板状爪部材２を備え、この爪部材２の先端部２aを隙間に挿入して隙間を押し開くスプレッダ３と、スプレッダ３に開放動作を行わせる爪部材開放用駆動ブロック４と、先端部に駆動ブロック４が取り付けられたピストンロッド５と、このピストンロッド５を往復動させる油圧駆動装置６とから構成されている。
【００１２】
スプレッダ３の一対の爪部材２は、それぞれの基端部２ｂが、揺動軸７により本体ケーシング８に対し揺動可能に取り付けられている。また、一対の爪部材２は、それぞれ略菱形をしており、図１に示すように、互いに当接した状態で先端部が鋭角形状を構成するようになっている。また、爪部材２の外側壁９には、厚み方向に向けて凹凸溝９aが形成されている。
【００１３】
また駆動ブロック４が配置された爪部材２のそれぞれの後方位置には、自由回転可能なローラ１０が取り付けられ、このローラ１０に三角錐状の駆動ブロック４が当接することにより、一対の爪部材２の開放動作が円滑に行われるようになっている。
【００１４】
一対の爪部材２には、図２に示すように、それぞれ先端部２aに向けて爪部材２の厚みを減少させるよう傾斜面１１が形成されている。図２に示す実施例では、この傾斜面１１は、爪部材２の先端部付近に、片側のみ形成されている。
【００１５】
先端部に駆動ブロック４が取り付けられたピストンロッド５を往復動させる油圧駆動装置６は、電動モータ１２を備え、この電動モータ１２を駆動することにより圧力油を発生させ、ピストンロッド５を往復駆動する。この油圧駆動装置６の構成並びに作用については、前記特許文献により詳細に記載されている。
【００１６】
一対の爪部材２は、常時閉じる方向に付勢する閉じスプリング１３によって連結されている。
【００１７】
このような構成からなる油圧作動装置１は、電動モータ１２を駆動し、油圧駆動装置６によりピストンロッド５を前進移動（図１では左方向に移動）させ、駆動ブロック４により、一対の爪部材２を閉じスプリング１３の付勢力に抗して開方向に揺動させる。また、油圧駆動装置６の動作を停止し、ピストンロッド５、駆動ブロック４を後退させることにより、一対の爪部材２は閉じスプリング１３の付勢力により閉方向に揺動する。そしてこのような一対の爪部材２の開方向への揺動によって、スプレッダ３による隙間の開放動作（こじ開け）を行うことができる。
【００１８】
本実施例においてはさらに、爪部材２の先端部２a付近に、傾斜面１１が形成されているので、スプレッダ３の先端部２aが尖った状態になり、従来のスプレッダの先端部が挿入できなかったような小さな隙間（開口）にもスプレッダ３の先端部２aを挿入することができる。
【００１９】
図３は、本発明による油圧作動装置１の使用例を示す部分拡大斜視図である。この使用例は南京錠２１を破壊する状態を示したものである。南京錠２０は錠本体２１とシャッフル２２とから構成され、シャッフル２２の一端部を錠本体２１に挿入することにより施錠される。
【００２０】
施錠された状態では、シャッフル２２と錠本体２１との間に空間２２aが形成され、この空間２２aにスプレッダ３の先端部を挿入する。この場合、スプレッダ３の先端部付近には傾斜面１１が形成されているので、この空間２２aが小さくても、スプレッダ３の先端部を挿入することができる。
【００２１】
スプレッダ３の先端部を挿入した後、油圧駆動装置６を作動させ、スプレッダ３を開方向に作動させると、シャッフル２２は空間２２aが押し広げられるようにして錠本体２１から外れ、南京錠２０を破壊することができる。
【００２２】
この場合、南京錠２０が小さいサイズのものであれば、小さい力で破壊することができ、大きいサイズの場合には、破壊には大きな力を必要とする。図３に示したよりさらに大きい南京錠である場合には、シャッフル２２の空間２２aはさらに大きくなり、スプレッダ３の先端付近には傾斜面１１が形成されているので、先端部をさらに奥まで挿入することができる。これにより、シャッフル２２に当接するスプレッダ３の外側壁９の厚みは、小さいサイズの場合より大きくなり、スプレッダ３による開放力をより多く作用させることができる。
【００２３】
従って、本発明によれば、同一のスプレッダ３を用いて、サイズの異なる南京錠２０を容易に破壊することができる。
【００２４】
また、爪部材２の外側壁９に凹凸溝９aが形成されているので、爪部材２が開方向に揺動する際、シャッフル２２との滑りを防ぎ、確実にシャッフル２２を開方向に拡大させて破壊することができる。
【００２５】
図４は、本発明の他の実施例を示す図２相当図である。
【００２６】
この実施例においては、スプレッダ３の一対の爪部材２の先端部付近に、それぞれ先端に向けて爪部材２の厚みを減少させるよう上下両面から傾斜面１１が形成されている。
【００２７】
このように上下両面から傾斜面１１を形成することにより、スプレッダ３の先端部をより尖った形状にすることができ、例え小さな穴であっても、この中にスプレッダ３の先端部を挿入し、穴を押し広げることが可能である。
【産業上の利用可能性】
【００２８】
以上説明したように、本発明による油圧作動装置は、スプレッダの一対の板状爪部材に、それぞれ先端に向けて爪部材の厚みを減少させるよう傾斜面が形成されているので、従来スプレッダの先端を挿入できなかった爪部材の厚みより小さい隙間に対してもスプレッダの先端を挿入させることができ、その隙間をさらに拡大することが可能となる。
【００２９】
本発明による油圧作動装置は、犯罪に対する強制侵入や、火災などの消火活動の際に、扉などに施錠されている南京錠を破壊する場合に使用することができる。また、南京錠のサイズが変わっても、スプレッダの爪部材を変更することなく同一の油圧作動装置を用いて作業することができる。
【００３０】
このように、本発明による油圧作動装置は、従来の油圧作動装置に比べて、その利用範囲を大きく拡大することができる。
【図面の簡単な説明】
【００３１】
【図１】本発明の実施の一形態に係わる油圧作動装置を示す部分側断面図。
【図２】図１に示す油圧作動装置の底面図。
【図３】本発明による油圧作動装置の使用状態の一例を示す部分拡大斜視図。
【図４】本発明の他の実施形態を示す部分側面図。
【符号の説明】
【００３２】
１  油圧作動装置
２  爪部材
２a  先端部
２b  基端部
３  スプレッダ
４  駆動ブロック
５  ピストンロッド
６  油圧駆動部
７  揺動軸
８  本体ケーシング
９  外側壁
１０  ローラ
１１  傾斜面
１２  電動モータ
１３  閉スプリング
【図１】
2005334045.tif 000003
【図２】
2005334045.tif 000004
【図３】
2005334045.tif 000005
【図４】
2005334045.tif 000006